(57)【要約】【課題】グローブボックス装置を一体化して搬送することにより、現地工事の省力化、現地工期の短縮化を可能とする。【解決手段】グローブボックス装置は、床板１ｃ、側板１ｄおよび天板１ｂを有するグローブボックス１と、グローブボックス１内に配置された機器５とを有する。このグローブボックス装置を製作工場の外の設置場所に設置するグローブボックス装置据え付け方法は、製作工場で、機器４、５を少なくとも床板１ｃおよび天板１ｂに固定する製作工程と、製作工程の後に、機器４、５を床板１ｃおよび天板１ｂに固定した状態のものを設置場所に搬送する搬送工程と、搬送工程の後に、搬送されたものを設置場所に設置する設置工程と、を有する。【選択図】図１
2005134305.tif 000002
【特許請求の範囲】
【請求項１】
床板、側板および天板を有するグローブボックスと、このグローブボックス内に配置された機器とを有するグローブボックス装置を製作工場の外の設置場所に設置するグローブボックス装置据え付け方法において、
前記製作工場で、前記機器を少なくとも前記床板および天板に固定する製作工程と、
前記製作工程の後に、前記機器を前記床板および天板に固定した状態のものを一体として前記設置場所に搬送する搬送工程と、
前記搬送工程の後に、搬送されたものを設置場所に設置する設置工程と、
を有することを特徴とするグローブボックス装置据え付け方法。
【請求項２】
グローブボックスおよびこのグローブボックスを支持するグローブボックス用架台と前記グローブボックス内に配置された機器とを有するグローブボックス装置を製作工場の外の設置場所に設置するグローブボックス装置据え付け方法において、
前記製作工場で、前記機器を前記グローブボックス内に配置して固定し、さらに前記グローブボックスの底部にグローブボックス用架台を固定する製作工程と、
前記製作工程の後に、前記製作されたグローブボックス装置を一体として前記設置場所に搬送する搬送工程と、
前記設置場所で、埋め込み金物に張り付けライナを溶接固定する工程と、
前記張り付けライナに基礎ボルトをネジ込みで固定する工程と、
前記搬送工程の後に、前記基礎ボルトに前記グローブボックス用架台を固定する工程と、
を有すること、を特徴とするグローブボックス装置据え付け方法。
【請求項３】
継ぎ目のない一体のグローブボックスとこのグローブボックス内に配置された機器とを有するグローブボックス装置を製作工場の外の設置場所に設置するグローブボックス装置据え付け方法であって、
前記製作工場で、前記機器を前記グローブボックス内に配置して固定する製作工程と、
前記製作工程の後に、前記製作されたグローブボックスおよび機器を一体として前記設置場所に搬送する搬送工程と、
前記搬送工程の後に、搬送されたグローブボックスおよび機器を設置場所に設置する設置工程と、
を有すること、を特徴とするグローブボックス装置据え付け方法。
【請求項４】
グローブボックスおよびこのグローブボックスを支持するグローブボックス用架台と前記グローブボックス内に配置された機器とを有するグローブボックス装置において、
該グローブボックス装置は、前記グローブボックス用架台を吊り上げることにより一体で吊り上げて搬送できるように構成されていること、
を特徴とするグローブボックス装置。
【請求項５】
グローブボックスとこのグローブボックス内に配置された機器とを有するグローブボックス装置において、
前記グローブボックスは、据え付け時の自重および前記機器を支持するグローブボックス用架台と、このグローブボックス用架台と一体の遮蔽体とを有し、
該グローブボックス装置は一体で搬送できるように構成されていること、
を特徴とするグローブボックス装置。
【発明の詳細な説明】
【技術分野】
【０００１】
本発明はグローブボックスとグローブボックス内に配置される機器を有するグローブボックス装置と、そのグローブボックス装置の据え付け方法に関する。
【背景技術】
【０００２】
従来、グローブボックスおよびこれを支持するグローブボックス用架台とグローブボックス内設置機器（以下、これらを合わせて「グローブボックス装置」と呼ぶ）の施工は、それぞれの製作工場にて製作し、それぞれ別々に設置場所（現地）へ搬入し、現地で、グローブボックス内組立て、試験・検査を行なっていた。現地工事の省力化、現地工期の短縮化のためには、製作工場にてグローブボックスおよびグローブボックス用架台とグローブボックス内設置機器とをグローブボックス装置として一体化して、この一体化したグローブボックス装置を搬送し、設置するのが望ましい。
なお、グローブボックスは、放射性物質や有害化学物質などの取扱いのために用いられる。
【発明の開示】
【発明が解決しようとする課題】
【０００３】
しかし、従来のグローブボックス装置は一体化して搬送することが想定されていないため、輸送時の振動・衝撃に耐えられない可能性があった。
本発明は、グローブボックス装置を一体化して搬送することにより、現地工事の省力化、現地工期の短縮化が可能なグローブボックス装置およびその据え付け方法提供することを目的とする。
【課題を解決するための手段】
【０００４】
本発明は上記目的に沿うものであって、請求項１に記載の発明は、床板、側板および天板を有するグローブボックスと、このグローブボックス内に配置された機器とを有するグローブボックス装置を製作工場の外の設置場所に設置するグローブボックス装置据え付け方法において、前記製作工場で、前記機器を少なくとも前記床板および天板に固定する製作工程と、前記製作工程の後に、前記機器を前記床板および天板に固定した状態のものを一体として前記設置場所に搬送する搬送工程と、前記搬送工程の後に、搬送されたものを設置場所に設置する設置工程と、を有することを特徴とする。
【０００５】
また、請求項２に記載の発明は、グローブボックスおよびこのグローブボックスを支持するグローブボックス用架台と前記グローブボックス内に配置された機器とを有するグローブボックス装置を製作工場の外の設置場所に設置するグローブボックス装置据え付け方法において、前記製作工場で、前記機器を前記グローブボックス内に配置して固定し、さらに前記グローブボックスの底部にグローブボックス用架台を固定する製作工程と、前記製作工程の後に、前記製作されたグローブボックス装置を一体として前記設置場所に搬送する搬送工程と、前記設置場所で、埋め込み金物に張り付けライナを溶接固定する工程と、前記張り付けライナに基礎ボルトをネジ込みで固定する工程と、前記搬送工程の後に、前記基礎ボルトに前記グローブボックス用架台を固定する工程と、を有すること、を特徴とする。
【０００６】
また、請求項３に記載の発明は、継ぎ目のない一体のグローブボックスとこのグローブボックス内に配置された機器とを有するグローブボックス装置を製作工場の外の設置場所に設置するグローブボックス装置据え付け方法であって、前記製作工場で、前記機器を前記グローブボックス内に配置して固定する製作工程と、前記製作工程の後に、前記製作されたグローブボックスおよび機器を一体として前記設置場所に搬送する搬送工程と、前記搬送工程の後に、搬送されたグローブボックスおよび機器を設置場所に設置する設置工程と、を有すること、を特徴とする。
【０００７】
また、請求項４に記載の発明は、グローブボックスおよびこのグローブボックスを支持するグローブボックス用架台と前記グローブボックス内に配置された機器とを有するグローブボックス装置において、該グローブボックス装置は、前記グローブボックス用架台を吊り上げることにより一体で吊り上げて搬送できるように構成されていること、を特徴とする。
【０００８】
また、請求項５に記載の発明は、グローブボックスとこのグローブボックス内に配置された機器とを有するグローブボックス装置において、前記グローブボックスは、据え付け時の自重および前記機器を支持するグローブボックス用架台と、このグローブボックス用架台と一体の遮蔽体とを有し、該グローブボックス装置は一体で搬送できるように構成されていること、を特徴とする。
【発明の効果】
【０００９】
本発明によれば、グローブボックス装置を一体化して搬送することにより、現地工事の省力化、現地工期の短縮化が可能となる。また、作業環境の整った製作工場で組立て、試験・検査を行なうことができるので、装置としての信頼性向上が期待できる。
【発明を実施するための最良の形態】
【００１０】
以下、図面を参照して本発明の実施の形態について説明する。なお、相互に同一または類似の部分には共通の符号を付して、重複説明は省略する。  
図１は本発明に係るグローブボックス装置の第１の実施の形態を示す。図１において、グローブボックス１は床板１ｃと側板１ｄと天板１ｂとを有し、気密のボックスを形成する。グローブボックス１内には容器５、架台４や、他の機器装置、弁、計装品、機器サポート等の機器が設置されている。側板１ｄには、遮蔽窓２とグローブポート３が形成されている。図１では、床板１ｃの下でグローブボックスを支持するグローブボックス用架台は省略している。
【００１１】
このグローブボックス装置を組み立てるにあたっては、製作工場で、グローブボックス１の組立て、架台４の組立て、容器５の架台４への取付けを行なう。このとき、グローブボックス内架台４を天板１ｂに固定する。その後、試験・検査も製作工場で行なう。その後、組み立てた状態のグローブボックス装置を現地へ搬送し、現地で据え付ける。
【００１２】
この実施の形態によれば、グローブボックス内架台４が天板１ｂに固定されていることによりグローブボックス装置の剛性が増し、それによって、グローブボックス装置を一体で搬送することができる。
【００１３】
この実施の形態によれば、グローブボックス１とグローブボックス内に設置する機器の組立て、試験・検査を製作工場内で行なうことにより、現地工事の省力化、現地工期の短縮化が可能となる。また、作業環境の整った製作工場で組立て、試験・検査を行なうことにより、装置としての信頼性の向上が期待できる。
【００１４】
図２は本発明に係るグローブボックス装置の第２の実施の形態を示す。図２において、グローブボックス用基礎ボルト７は張付ライナ８にネジ込みにて固定され、張付ライナ８は躯体側に設定されている埋込金物９に溶接で固定される。グローブボックス用架台６は、張付ライナ８の上に載置される。グローブボックス用架台６には基礎ボルト７が貫通する貫通孔があり、基礎ボルト７がグローブボックス用架台６を貫通した上からナット２０でグローブボックス用架台６を締め付けることによりグローブボックス用架台６が張付ライナ８の上で固定される。
【００１５】
さらに、グローブボックス用架台６の上にグローブボックス床板１ｃの底面が載置される。グローブボックス床板１ｃの底面には下方に向かって延びるボルト２２が溶接されており、グローブボックス用架台６にはボルト２２が貫通する貫通孔があり、ボルト２２がグローブボックス用架台６を貫通した下からナット２４でグローブボックス用架台６を締め付けることにより、グローブボックス１がグローブボックス用架台６に固定される。
【００１６】
本実施の形態によれば、躯体側に設定されている埋込金物９の位置は調整できないが、張付ライナ８に基礎ボルト７を固定することで、現地でグローブボックス基礎に合わせて調整することが可能となる。
【００１７】
図３は本発明に係るグローブボックス装置の第３の実施の形態を示す。図３において、（ａ）は従来のグローブボックスを示す。すなわち、従来は、複数のグローブボックスユニット３０をフランジて相互に結合することにより、グローブボックス１を形成していた。これに対してこの実施の形態では、図３（ｂ）に示すように、グローブボックス１を一体で製作する。本実施の形態によれば、複数のグローブボックスユニットをフランジで接続することなく、グローブボックス一体で製作するので、気密性の向上が可能となる。
【００１８】
図４は本発明に係るグローブボックス装置の第４の実施の形態を示す。図４（ａ）において、グローブボックス装置を輸送する際、吊用具１０ａとしてグローブボックス用架台６の一部を利用するものである。この吊用具１０ａにワイヤロープ３２などを引っ掛けて、上方のクレーンのフック（図示せず）で吊り上げる。本実施の形態によれば、グローブボックス装置を一体で輸送するにあたり、吊用具として新たに部材の取付・取外しが不要となる。
【００１９】
図４（ｂ）は図４（ａ）の第４の実施の形態の変形例を示す。この場合は、グローブボックス用架台６が、互いに垂直に交差する水平方向のアングル材を２段に重ねた構造である。下側のアングル材が吊用具１０ｂとして機能するように形成されている。
【００２０】
図５は本発明に係るグローブボックス装置の第５の実施の形態を示す。図５において、（ａ）は従来のグローブボックスを示し、（ｂ）は本発明の実施の形態に係るグローブボックス装置を示す。この実施の形態は、グローブボックス装置を輸送する際、輸送用フレーム１２としてグローブボックス用遮蔽体１１を利用するものである。本実施の形態によれば、グローブボックス輸送時、輸送用フレームとして新たに部材の取付・取外しが不要となる。強度の確保については、グローブボックス本体、架台との練成モデルを有限要素法により解析し、十分な強度を得られることを確認した。
【００２１】
以上、種々の実施の形態を説明した。これら各実施の形態の特徴を組み合わせることも可能である。
【図面の簡単な説明】
【００２２】
【図１】本発明に係るグローブボックス装置の第１の実施の形態を示す斜視図。
【図２】本発明に係るグローブボックス装置の第２の実施の形態の基礎部を示す要部立断面図。
【図３】（ａ）は従来のグローブボックス装置を示す斜視図、（ｂ）は本発明に係るグローブボックス装置の第３の実施の形態を示す斜視図。
【図４】（ａ）は本発明に係るグローブボックス装置の第３の実施の形態の吊り上げ時の状況を示す斜視図、（ｂ）は（ａ）の変形例を示す斜視図。
【図５】（ａ）は従来のグローブボックス装置を示す斜視図、（ｂ）は本発明に係るグローブボックス装置の第５の実施の形態を示す斜視図。
【符号の説明】
【００２３】
１…グローブボックス、１ｂ…天板、１ｃ…床板、１ｃ…側板、２…遮蔽窓、３…ポート、４…グローブボックス内架台、５…グローブボックス内機器、６…グローブボックス用架台、７…グローブボックス用基礎ボルト、８…張付ライナ、９…埋込金物、１０ａ…グローブボックス用架台兼輸送用吊用具、１０ｂ…グローブボックス用架台兼輸送用吊用具、１１…グローブボックス用遮蔽体、１２…輸送用フレーム。
【図１】
2005134305.tif 000003
【図２】
2005134305.tif 000004
【図３】
2005134305.tif 000005
【図４】
2005134305.tif 000006
【図５】
2005134305.tif 000007